(57)【要約】【課題】建設混合廃棄物の選別において、熱灼減量５％以下の再生砂の選別効率を向上させることのできる建設混合廃棄物の選別方法およびその設備を提供する。【解決手段】建設混合廃棄物から長大物を選別する粗選別工程の選別残渣から約４０ｍｍ未満の小物及び土砂を選別する小物・土砂選別機１と、再生可能物又は手選別後の残渣中に入ると後工程に支障をきたすものを手選別する手選別ライン２と、手選別ライン２の残渣を破砕する破砕機４と、約４０ｍｍ未満の小物及び土砂を選別する小物・土砂選別機５と、小物・土砂選別機５で選別された小物及び土砂類から約８ｍｍ以下の細粒物と約８〜４０ｍｍの小塊物と軽量可燃物を選別する不燃物精選機６と、選別した小塊物を約８ｍｍ以下の細粒物にする粉砕機７と、細粒物を可燃物、ダスト及び石膏、木くず等を除去して、熱灼減量５％以下の再生砂を選別する、篩いと送風・吸引装置を有する製砂装置８とを備える。【選択図】図１
2006000789.tif 000002
【特許請求の範囲】
【請求項１】
建設混合廃棄物から長大物を選別する粗選別工程の選別残渣から再生可能物又は選別後の残渣中に入ると後工程に支障をきたすものを抜き取る手選別工程と、
前記手選別工程の残渣を４０ｍｍ未満の小物に破砕する破砕工程と、
前記粗選別工程の選別残渣から４０ｍｍ未満の土砂類を選別する土砂選別工程と、
前記破砕工程・土砂選別工程で破砕又は選別された４０ｍｍ未満の小物及び土砂を風力・篩併用式の不燃物精選機へ投入して約８ｍｍ以下の砂品と約８〜４０ｍｍの小塊物と軽量可燃物に選別する不燃物精選工程と、
前記不燃物精選工程で選別した小塊物を約８ｍｍ以下の細粒物に粉砕する粉砕工程と、
前記粉砕工程の細粒物を、篩いと送風・吸引装置を備えた選別装置で、可燃物やダストを除去して再生砂を選別する製砂工程からなることを特徴とする建設混合廃棄物の選別方法。
【請求項２】
前記手選別工程の前後に風力選別機を設けて、後段の風力選別機を前段の風力選別機よりも風力を強めて木屑、石膏ボード等を除去する風力選別することを特徴とする請求項１記載の建設混合廃棄物の選別方法。
【請求項３】
前記粉砕工程と不燃物精選工程の間に石灰等の水分吸着剤を混入する工程を有することを特徴とする請求項１又は２記載の建設混合廃棄物の選別方法。
【請求項４】
建設混合廃棄物から長大物を選別する粗選別工程の選別残渣から再生可能物又は選別後の残渣中に入ると後工程に支障をきたすものを抜き取る手選別ラインと、
前記手選別ラインの残渣を４０ｍｍ未満の小物に破砕する破砕機と、
前記粗選別の選別残渣から４０ｍｍ未満の土砂類を選別する土砂選別機と、
前記破砕工程・土砂選別機で破砕又は選別された小物及び土砂から約８〜４０ｍｍの小塊物と軽量可燃物に選別する不燃物精選機と、
前記不燃物精選機で選別した小塊物を約８ｍｍ以下の細粒物にする粉砕機と、
前記粉砕機の細粒物を可燃物、ダストを除去して再生砂を選別する、篩いと送風・吸引装置を有する選別装置とを備えたことを特徴とする建設混合廃棄物の選別設備。
【請求項５】
前記手選別ラインの前後に風力選別機を設け、後段の風力選別機が前段の風力選別機よりも風力を強めて木屑、石膏ボード等を除去する風力選別機であることを特徴とする請求項４記載の建設混合廃棄物の選別設備。
【請求項６】
前記粉砕機と不燃物精選機の間に石灰等の水分吸着剤を混入する水分吸着剤混入装置を有することを特徴とする請求項４又は５記載の建設混合廃棄物の選別設備。
【発明の詳細な説明】
【技術分野】
【０００１】
粗選別された建設混合廃棄物の手選別残渣中の不燃物を、効率的かつ連続的にリサイクル可能な物へ高度選別する、建設混合廃棄物の選別方法およびその設備に関するものである。
【背景技術】
【０００２】
建築物の新築工事現場あるいは解体工事現場では木くず、紙くず、廃プラ等の可燃物、石膏、コンクリートガラ、ガラス等の不燃物等の多品種、多サイズの廃棄物が混合された建設混合廃棄物が発生する。この建設混合廃棄物から可燃物、不燃物、リサイクル可能物などの選別が行われている。
【０００３】
図２は従来の建設混合廃棄物の一般的な処理フローである。図２において、工事現場で発生した建設混合廃棄物が選別設備に搬入され、粗選別工程、仕上げ選別工程で選別される。仕上げ選別工程は機械選別工程、手選別工程、破砕工程、不燃物精選工程からなる。
【０００４】
図３は従来の選別設備の一例を示す図である。図３において、粗選別工程では、工事現場の建設混合廃棄物は、車両に積み込んで搬送された建設混合廃棄物から大物の再生可能物、仕上げ選別工程に入れると故障の原因となる処理困難物を選別する。選別対象サイズは３００〜５００ｍｍ以上のものであり、通常、コンクリートガラ、陶磁器くず、金属くず（鉄くず、アルミ、電線等）、廃木材、大物（ロール状のビニールシート等）の廃プラ、大物可燃物（じゅうたん、たたみ、）ダンボール、石膏ボード、内装パネル、塩ビ管、処理困難物（机、イス、岩石等）等である。
【０００５】
図３において、粗選別工程での選別残渣は、風力併用振動篩い、トロンメル式風力選別機１などの機械選別工程によって、約３０ｍｍ未満の土砂類とそれ以上の中物品と可燃物等に選別する。約３０ｍｍ以上の中物品は次の手選別ライン２類に搬送される。
【０００６】
手選別ライン２では、可燃物、塩ビ、石膏、木、大物金属（アルミ、ステンレス、電線等）、処理困難物（スプレー缶、複合物等）などの再生可能物又は手選別後の残渣中に入ると後工程に支障をきたすものを選別し、ライン下にあるヤードまたはボックスに一次保管する。
【０００７】
手選別後の残渣は、主としてコンクリートガラ、陶磁器くず、ガラスくず等の不燃物であり、木くず、紙、塩ビ等の人手で選別できなかった可燃物の小片が混入している。これらを衝撃式破砕機４で破砕する。破砕サイズは３０〜４０ｍｍ以下が一般的である。
【０００８】
手選別残渣の破砕物と、機械選別工程で分別された土砂類は、合流して、不燃物精選機６に搬送される。不燃物精選機は風力併用振動選別機、風力併用トロンメル等が一般的であり、篩いと風力で、軽量可燃物、約８ｍｍ以下の土砂、約８〜３０ｍｍの小ガラ品に選別される。
【０００９】
不燃物精選別工程に関して、特許文献１には機械で選別された重量物を破砕後、風力・篩併用の不燃物精選機で、細粒物、小塊物、可燃物の３種類に選別することが記載されている。
【特許文献１】特開２００１−７９４４９３号公報
【発明の開示】
【発明が解決しようとする課題】
【００１０】
しかしながら、従来の選別工程のうち、不燃物精選別工程には次の問題点があった。約８ｍｍ以下の細粒物には可燃物の混入が少なく熱灼減量５％以下の砂品となり、路床材等として再利用可能であるが、前工程の衝撃式破砕機の特性上、混入している木くず、塩ビ等の軟質物は、約８ｍｍ以下に破砕される割合は少なく、かつ比重が重いため、約８〜３０ｍｍの小塊品に混入される割合が高く、小塊品は熱灼量５％以下にはならず、管理型埋立処分されるのが現状である。
【００１１】
また、特に、雨の日等で水に濡れた不燃物残渣は、木くず、石膏等が水分を含み比重が重くなり、小塊への混入率が高くなり、これが不燃物精選機の目詰まりの原因にもなり、選別効率は悪くなる。
【００１２】
そこで、本発明は、建設混合廃棄物の不燃物精選別工程において、前記約８〜３０ｍｍの小塊品を熱灼減量５％以下の砂品として再生することのできる建設混合廃棄物の不燃物残渣の選別方法およびその設備を提供するものである。
【課題を解決するための手段】
【００１３】
本発明の建設混合廃棄物の選別方法は、建設混合廃棄物から長大物を選別する粗選別工程の選別残渣から再生可能物又は選別後の残渣中に入ると後工程に支障をきたすものを抜き取る手選別工程と、前記手選別工程の残渣を４０ｍｍ未満の小物に破砕する破砕工程と、前記粗選別工程の選別残渣から４０ｍｍ未満の土砂類を選別する土砂選別工程と、前記破砕工程・土砂選別工程で破砕又は選別された４０ｍｍ未満の小物及び土砂を風力・篩併用式の不燃物精選機へ投入して約８ｍｍ以下の砂品と約８〜４０ｍｍの小塊物と軽量可燃物に選別する不燃物精選工程と、前記不燃物精選工程で選別した小塊物を約８ｍｍ以下の細粒物に粉砕する粉砕工程と、前記粉砕工程の細粒物を、篩いと送風・吸引装置を備えた選別装置で、可燃物やダストを除去して再生砂を選別する製砂工程からなることを特徴とする。
【００１４】
また、本発明の建設混合廃棄物の選別設備は、建設混合廃棄物から長大物を選別する粗選別工程の選別残渣から再生可能物又は選別後の残渣中に入ると後工程に支障をきたすものを抜き取る選別ラインと、前記選別ラインの残渣を４０ｍｍ未満の小物に破砕する破砕機と、前記粗選別の選別残渣から４０ｍｍ未満の土砂類を選別する土砂選別機と、前記破砕工程・土砂選別機で破砕又は選別された小物及び土砂から約８〜４０ｍｍの小塊物と軽量可燃物に選別する不燃物精選機と、前記不燃物精選機で選別した小塊物を約８ｍｍ以下の細粒物にする粉砕機と、前記粉砕機の細粒物を可燃物、ダストを除去して再生砂を選別する、篩いと送風・吸引装置を有する選別装置とを備えたことを特徴とする。
【発明の効果】
【００１５】
本発明の効果は次のとおりである。
【００１６】
（１）従来不燃物精選後の約８〜４０ｍｍの小塊物中には可燃物混入率が高く、再生利用困難であったが、本発明によれば、熱灼減量５％以下で且つ従来より粒度分布が整ったダスト分が少ない見かけ上綺麗な品質の再生砂ができる。
【００１７】
（２）従来、雨等により不燃物残渣が水に濡れている場合、不燃物精選機の選別効率が悪く、再生可能な細粒物や小塊が得られなかったが、本発明により、水分含有量にかかわらず、一定の不燃物精選機の選別精度を得ることができる。
【００１８】
（３）また、破砕機と不燃物精選機の間の工程で石灰等の水分吸着剤を混入することにより、本くず、石膏等が選別されやすくなる。
【００１９】
（４）手選別工程と破砕工程の間に、風力選別機を設置することにより、不燃物精選機に投入される不燃物残渣に混入する可燃物や木くず等の混入率を低くすることが出来、製品である再生砂の熱灼減量を下げる効果がある。
【発明を実施するための最良の形態】
【００２０】
図１は本発明の仕上げ選別工程の設備の一例を示す図である。建設混合廃棄物から長大物を選別する粗選別工程の選別残渣を例えば風力併用式トロンメル１に投入し約３０ｍｍ以下の土砂を除去するとともに軽量可燃物と、約３０ｍｍ以上の小物品に選別する。約３０ｍｍ以上の小物品は、手選別ライン２において再生可能物又は手選別後の残渣中に入ると後工程に支障をきたすものを選別する。
【００２１】
風力併用式トロンメル１では、粗選別工程の選別残渣から廃プラを主とした軽量可燃物を除去する。この風力併用式トロンメル１はトロンメルと風力選別機の組合せ、又は、風力併用振動篩等の機械でも代替できる。この風力併用式トロンメル１ではビニールシート等のかさばる可燃物を除去し、ＲＰＦ原料となりえるレベルの高品質可燃物が機械的に得られるとともに、軽量可燃物が除去されて手選別ライン２での手選別効率を向上させることができる。
【００２２】
なお、手選別ライン２の後ろに風力選別機３を設け、後段の風力選別機３を前段の風力併用式トロンメル１よりも風力を強めて手選別後の残渣から木屑、石膏ボード等の軽量物を可能な限り除去して最終の再生品の品質を高めるようにしてもよい。
【００２３】
手選別後の残渣あるいは軽量物を除いた風力選別後の残渣は、衝撃式破砕機４で約４０ｍｍ以下に破砕する。破砕精度が悪い時は、破砕機の後段に、トロンメル５や振動篩を設けて４０ｍｍ以上を破砕機４へリターンさせても良い。
【００２４】
衝撃式破砕機４で破砕した破砕物と風力併用式トロンメル１で選別された３０ｍｍ未満の土砂類を風力併用式振動篩である不燃物精選機６へ投入する。
【００２５】
不燃物精選機６で約８ｍｍ以下の比重の重い細粒物と約８〜４０ｍｍの小塊物と軽量可燃物を選別する。選別された約８〜４０ｍｍの小塊物は、さらに衝撃式の粉砕機７により粉砕し、小塊物を約８ｍｍ以下の細粒物にする。この衝撃式の粉砕機の特性により約８ｍｍ以下に粉砕されにくい軟質系可燃物を後工程の篩で除去することができ、また、約８ｍｍ未満の軽量可燃物は風力選別により除去可能となる。
【００２６】
粉砕機７で得られた細粒物を、篩いと送風・吸引装置がついた製砂装置８で、軽量可燃物およびダストと、約８ｍｍ以下の再生砂と約８ｍｍ以上の石膏、木くず等の異物に分離し、製品ヤード１０、異物ヤード１１に送る。篩いと送風・吸引装置がついた製砂装置８は砕石プラント等でよく用いられる公知のものを使用することができる。製砂装置８の吸引の併用により、粉砕されたダスト分も除去され、粒度分布が整った、ダスト分が少ない綺麗な砂品が得られる。
【００２７】
破砕機４と不燃物精選機６の間の工程に、石灰等の水分吸着剤を混入する水分吸着剤混入装置９を設置することができる。水分の多い不燃物残渣の場合、本くず、石膏等に水分吸着剤が付着して水分を吸収し、可燃物側へ選別されやすくなる。また不燃物の表面についたダスト分を、水分吸着剤が表面の水分と一緒に除去し、見かけが綺麗な小塊を得ることができる。また、水分吸着剤として石灰を用いると水和反応により、不燃物を乾燥させ、不燃物精選機の目詰まりの問題が少なくなる。そのため、特に、雨の日等で、水分の多い不燃物残渣も、選別効率を落とすことなく選別できる。
【産業上の利用可能性】
【００２８】
建設混合廃棄物の選別に利用できる。
【図面の簡単な説明】
【００２９】
【図１】本発明の不燃物精選設備の一例を示す図である。
【図２】従来の建設混合廃棄物の一般的な処理フローである。
【図３】従来の選別設備の一例を示す図である。
【符号の説明】
【００３０】
１：風力併用式トロンメル      ２：手選別ライン
３：風力選別機                ４：衝撃式破砕機
５：トロンメル                ６：不燃物精選機
７：粉砕機                    ８：風力選別機
９：水分吸着剤混入装置      １０：製品ヤード
１１：異物ヤード
【図１】
2006000789.tif 000003
【図２】
2006000789.tif 000004
【図３】
2006000789.tif 000005